(57)【要約】  本発明は、周囲環境における背景雑音を抑制するための追加の信号処理と共に、マイクロホン配列を用いる無線電話システムを開示する。無線電話の信号処理リソースおよびBluetooth伝送の多チャネル伝送能力は、背景雑音を抑制するのに用いられる。無線電話システムは、多チャネルBluetooth伝送を介して無線電話に通信するBluetoothトランシーバ、および、このBluetoothトランシーバに連結されるマイクロホンの配列を含む。マイクロホンの配列は、第１音声信号出力を作り出す第１マイクロホン、および、第２音声信号出力を作り出す第２マイクロホンを含む。これら第１音声信号出力および第２音声信号出力は、それぞれ、多チャネルBluetooth伝送の第１チャネルおよび第２チャネルを介して無線電話に伝送される。本発明のシステムおよび方法は、背景雑音抑制を提供するために、多重マイクロホン配列による低コストのBluetoothトランシーバの使用を可能にする。
2010517328.tif 000002
【特許請求の範囲】
【請求項１】
多チャネルBluetooth伝送を介して無線電話と通信するよう設定されるBluetoothトランシーバと、
周囲環境からの音声信号入力を受信するために前記Bluetoothトランシーバに連結されるマイクロホンの配列であって、第１音声信号出力を作り出す第１マイクロホンおよび第２音声信号出力を作り出す第２マイクロホンを有するマイクロホンの配列と
を具える無線電話システムであって、
前記多チャネルBluetooth伝送が、前記第１音声信号出力を伝送するための第１チャネルおよび前記第２音声信号出力を伝送するための第２チャネルを有することを特徴とする無線電話システム。
【請求項２】
前記無線電話は、前記第１音声信号出力および前記第２音声信号出力を受信するためのシグナルプロセッサをさらに具える請求項１に記載の無線電話システム。
【請求項３】
前記シグナルプロセッサは、前記第１音声信号出力および前記第２音声信号出力を用いて背景雑音を計算し、かつ除去する請求項２に記載の無線電話システム。
【請求項４】
前記無線電話システムは、前記Bluetoothトランシーバに連結されるスピーカをさらに具え、かつ該スピーカに対応する音声信号が、前記多チャネルBluetooth伝送の前記第１チャネルを介して送信される請求項１に記載の無線電話システム。
【請求項５】
多チャネルBluetooth伝送を介して無線電話と通信するよう設定される第１Bluetoothトランシーバと、
前記多チャネルBluetooth伝送を介して前記無線電話と通信するよう設定される第２Bluetoothトランシーバと、
周囲環境からの音声信号入力を受信するマイクロホンの配列であって、第１マイクロホンおよび第２マイクロホンを有し、前記第１マイクロホンが前記第１Bluetoothトランシーバに連結され、かつ前記第２マイクロホンが前記第２Bluetoothトランシーバに連結されるマイクロホンの配列と
を具えることを特徴とする無線電話システム。
【請求項６】
前記第１マイクロホンは、第１音声信号出力を作り出し、かつ前記第２マイクロホンは、第２音声信号出力を作り出す請求項５に記載の無線電話システム。
【請求項７】
前記多チャネルBluetooth伝送は、前記第１音声信号出力を伝送するための第１チャネルおよび前記第２音声信号出力を伝送するための第２チャネルを有する請求項５に記載の無線電話システム。
【請求項８】
前記無線電話は、前記第１音声信号出力および前記第２音声信号出力を受信するためのシグナルプロセッサをさらに具える請求項５に記載の無線電話システム。
【請求項９】
前記シグナルプロセッサは、前記第１音声信号出力および前記第２音声信号出力を用いて背景雑音を計算し、かつ除去する請求項８に記載の無線電話システム。
【請求項１０】
前記無線電話システムは、前記第１Bluetoothトランシーバに連結されるスピーカをさらに具え、かつ該スピーカに対応する音声信号が、前記多チャネルBluetooth伝送の前記第１チャネルを介して送信される請求項５に記載の無線電話システム。
【請求項１１】
前記第１マイクロホン、前記第２マイクロホンおよび前記無線電話は、シングルBluetoothピコネットを作り出す請求項５に記載の無線電話システム。
【請求項１２】
多チャネルBluetooth伝送を介して無線電話と通信するよう設定されるBluetoothトランシーバを設けるステップと、
周囲環境からの音声信号入力を受信するために前記Bluetoothトランシーバに連結されるマイクロホンの配列であって、第１音声信号出力を作り出す第１マイクロホンおよび第２音声信号出力を作り出す第２マイクロホンを有するマイクロホンの配列を設けるステップと
を具える無線電話システムにおける音声信号の処理方法であって、
前記多チャネルBluetooth伝送が、前記第１音声信号出力を伝送するための第１チャネルおよび前記第２音声信号出力を伝送するための第２チャネルを有することを特徴とする無線電話システムにおける音声信号の処理方法。
【請求項１３】
前記無線電話は、前記第１音声信号出力および前記第２音声信号出力を受信するためのシグナルプロセッサを具える請求項１２に記載の無線電話システムにおける音声信号の処理方法。
【請求項１４】
前記シグナルプロセッサは、前記第１音声信号出力および前記第２音声信号出力を用いて背景雑音を計算し、かつ除去する請求項１３に記載の無線電話システムにおける音声信号の処理方法。
【請求項１５】
前記無線電話システムにおける音声信号の処理方法は、前記Bluetoothトランシーバに連結されるスピーカを設けるステップをさらに具え、かつ該スピーカに対応する音声信号が、前記多チャネルBluetooth伝送の前記第１チャネルを介して送信される請求項１２に記載の無線電話システムにおける音声信号の処理方法。
【請求項１６】
多チャネルBluetooth伝送を介して無線電話と通信するよう設定される第１Bluetoothトランシーバを設けるステップと、
前記多チャネルBluetooth伝送を介して前記無線電話と通信するよう設定される第２Bluetoothトランシーバを設けるステップと、
周囲環境からの音声信号入力を受信するマイクロホンの配列であって、第１マイクロホンおよび第２マイクロホンを有し、前記第１マイクロホンが前記第１Bluetoothトランシーバに連結され、かつ前記第２マイクロホンが前記第２Bluetoothトランシーバに連結されるマイクロホンの配列を設けるステップと
を具えるシステムにおける無線電話システムにおける音声信号の処理方法。
【請求項１７】
前記第１マイクロホンは、第１音声信号出力を作り出し、かつ前記第２マイクロホンは、第２音声信号出力を作り出す請求項１６に記載の無線電話システムにおける音声信号の処理方法。
【請求項１８】
前記多チャネルBluetooth伝送は、前記第１音声信号出力を伝送するための第１チャネルおよび前記第２音声信号出力を伝送するための第２チャネルを有する請求項１６に記載の無線電話システムにおける音声信号の処理方法。
【請求項１９】
前記無線電話は、前記第１音声信号出力および前記第２音声信号出力を受信するためのシグナルプロセッサをさらに具える請求項１６に記載の無線電話システムにおける音声信号の処理方法。
【請求項２０】
前記シグナルプロセッサは、前記第１音声信号出力および前記第２音声信号出力を用いて背景雑音を計算し、かつ除去する請求項１９に記載の無線電話システムにおける音声信号の処理方法。
【請求項２１】
前記無線電話システムにおける音声信号の処理方法は、前記第１Bluetoothトランシーバに連結されるスピーカを設けるステップをさらに具え、かつ該スピーカに対応する音声信号が、前記多チャネルBluetooth伝送の第１チャネルを介して送信される請求項１６に記載の無線電話システムにおける音声信号の処理方法。
【請求項２２】
多チャネルBluetooth伝送を介して無線電話と通信するよう設定されるBluetoothトランシーバのセットであって、第１Bluetoothトランシーバ、第２Bluetoothトランシーバおよび第３Bluetoothトランシーバを有するBluetoothトランシーバのセットと、
周囲環境からの音声信号入力を受信するマイクロホンの配列であって、第１マイクロホンおよび第２マイクロホンを有し、前記第１マイクロホンが前記第１Bluetoothトランシーバに連結され、かつ前記第２マイクロホンが前記第２Bluetoothトランシーバに連結されるマイクロホンの配列と、
前記第３Bluetoothトランシーバに連結されるスピーカと
を具えることを特徴とする無線電話システム。
【請求項２３】
前記第１マイクロホンは、第１音声信号出力を作り出し、かつ前記第２マイクロホンは、第２音声信号出力を作り出す請求項２２に記載の無線電話システム。
【請求項２４】
前記多チャネルBluetooth伝送は、前記第１音声信号出力を伝送するための第１チャネルおよび前記第２音声信号出力を伝送するための第２チャネルを有する請求項２２に記載の無線電話システム。
【請求項２５】
前記無線電話は、前記第１音声信号出力および前記第２音声信号出力を受信するためのシグナルプロセッサをさらに具える請求項２２に記載の無線電話システム。
【請求項２６】
前記Bluetoothトランシーバのセットは、シングルBluetoothピコネットを作り出す請求項２２に記載の無線電話システム。
【発明の詳細な説明】
【技術分野】
【０００１】
本発明は、一般に、無線通信に関し、より詳細には無線電話システムにおける信号処理に関する。
【背景技術】
【０００２】
背景雑音は、無線電話通信システムにおいて生来の問題である。騒々しい環境、例えば空港、路上、車内等において、ハンズフリーを用いる無線電話システムでの効果的な通信は決して容易ではない。背景雑音を抑制するため、従来の無線電話システムは、近端ユーザの声および背景雑音を受信し、その後の符合化および遠端ユーザの電話への伝送に対応する音声信号出力を出力するマイクロホンの配列を含む。
【０００３】
しかしながら、これら存在する技術は、背景雑音を含まない信号を作り出すための２つのマイクロホンおよび追加の信号処理能力を要求する。（例えばBluetoothヘッドセット等の）無線ヘッドセットにおいてこれら技術を用いる間、追加の信号処理能力がBluetoothヘッドセットの内部に設けられなければならない。追加の信号処理能力は、音声信号の声成分と音声信号の背景雑音成分とを区別しようと試みる様々なアルゴリズムを含み、そして背景雑音成分のレベルを弱める。
【０００４】
Bluetoothヘッドセット内のこれらアルゴリズムを実行するために、追加の信号処理能力が要求される。ヘッドセットの場合、シグナルプロセッサの強さは、背景雑音を抑制するよう信号を処理するのに十分でない。Bluetoothヘッドセットにおいてこの追加の機能性を提供することは、電力消費理由と同様に、実施において過負荷となる。また、これは、費用対効果が高いものではない。
【発明の概要】
【発明が解決しようとする課題】
【０００５】
したがって、必要とされるのは、追加の信号処理能力およびアルゴリズムなしで、入力音声信号中に存在する背景雑音の影響を抑制する無線電話である。本発明は、従来技術におけるこれら要求を満足するために、開発されたものである。
【課題を解決するための手段】
【０００６】
本発明は、周囲環境における背景雑音を抑制するための無線電話の信号処理能力と一緒にマイクロホン配列を用いる無線電話システムを開示する。無線電話の信号処理リソースおよびBluetooth伝送の多チャネル伝送能力は、背景雑音を抑制するのに用いられる。本発明のシステムおよび方法は、背景雑音抑制を提供するために、多重マイクロホン配列を用いる低コストのBluetoothトランシーバの使用を可能にする。
【０００７】
本発明の実施形態において、無線電話システムが開示される。この無線電話システムは、多チャネルBluetooth伝送を介して無線電話と通信するよう設定されるBluetoothトランシーバと、周囲環境からの音声信号入力を受信するためにBluetoothトランシーバに連結されるマイクロホンの配列とを含む。このマイクロホンの配列は、第１音声信号出力を作り出す第１マイクロホンおよび第２音声信号出力を作り出す第２マイクロホンを含む。多チャネルBluetooth伝送は、第１チャネルおよび第２チャネルを含む。第１音声信号出力は、第１チャネルを介して無線電話に送信され、第２音声信号出力は、第２チャネルを介して送信される。無線電話は、第１音声信号出力および第２音声信号出力を受信するためのシグナルプロセッサを含む。このシグナルプロセッサは、第１音声信号出力および第２音声信号出力を用いて背景雑音を計算し、かつ除去する。また、無線電話システムは、Bluetoothトランシーバに連結されるスピーカを含み、このスピーカに対応する音声信号は、多チャネルBluetooth伝送の第１チャネルを介して送信される。
【０００８】
本発明の別の実施形態において、無線電話システムの別の構成が提供される。この無線電話システムは、多チャネルBluetooth伝送を介して無線電話と通信するよう設定される第１Bluetoothトランシーバと、多チャネルBluetooth伝送を介して無線電話と通信するよう設定される第２Bluetoothトランシーバと、周囲環境からの音声信号入力を受信するマイクロホンの配列を含む。このマイクロホンの配列は、第１音声信号出力を作り出す第１マイクロホンおよび第２音声信号出力を作り出す第２マイクロホンを含む。第１マイクロホンは、第１Bluetoothトランシーバに連結され、かつ第２マイクロホンは、第２Bluetoothトランシーバに連結される。多チャネルBluetooth伝送は、第１チャネルおよび第２チャネルを含む。第１音声信号出力は、第１チャネルを介して無線電話に送信され、第２音声信号出力は、第２チャネルを介して送信される。無線電話は、第１音声信号出力および第２音声信号出力を受信するためのシグナルプロセッサを含む。このシグナルプロセッサは、第１音声信号出力および第２音声信号出力を用いて背景雑音を計算し、かつ除去する。また、無線電話システムは、第１Bluetoothトランシーバに連結されるスピーカを含み、このスピーカに対応する音声信号は、多チャネルBluetooth伝送の第１チャネルを介して送信される。
【０００９】
本発明の別の実施形態において、無線電話システムにおける音声信号の処理方法が提供される。この方法は、多チャネルBluetooth伝送を介して無線電話と通信するよう設定されるBluetoothトランシーバを設けるステップと、周囲環境からの音声信号入力を受信するためにBluetoothトランシーバに連結されるマイクロホンの配列を設けるステップとを含む。このマイクロホンの配列は、第１音声信号出力を作り出す第１マイクロホンおよび第２音声信号出力を作り出す第２マイクロホンを具える。多チャネルBluetooth伝送は、第１音声信号出力を伝送するための第１チャネルおよび第２音声信号出力を伝送するための第２チャネルを含む。シグナルプロセッサは、無線電話内に設けられる。このシグナルプロセッサは、第１音声信号出力および第２音声信号出力を用いて背景雑音を計算し、かつ除去する。
【００１０】
本発明の別の実施形態において、無線電話システムにおける音声信号の処理方法が提供される。この方法は、多チャネルBluetooth伝送を介して無線電話と通信するよう設定される第１Bluetoothトランシーバを設けるステップと、多チャネルBluetooth伝送を介して無線電話と通信するよう設定される第２Bluetoothトランシーバを設けるステップと、周囲環境からの音声信号入力を受信するマイクロホンの配列を設けるステップとを含む。このマイクロホンの配列は、第１マイクロホンおよび第２マイクロホンを含み、ここでは、第１マイクロホンが、第１Bluetoothトランシーバに連結され、かつ第２マイクロホンが、第２Bluetoothトランシーバに連結される。第１マイクロホンは、第１音声信号出力を作り出し、かつ第２マイクロホンは、第２音声信号出力を作り出す。第１音声信号出力および第２音声信号出力は、それぞれ多チャネルBluetooth伝送の第１チャネルおよび第２チャネルを介して無線電話に送信される。シグナルプロセッサは、無線電話内に設けられる。このシグナルプロセッサは、第１音声信号出力および第２音声信号出力を用いて背景雑音を計算し、かつ除去する。
【００１１】
本発明の別の実施形態において、無線電話システムが提供される。この無線電話システムは、多チャネルBluetooth伝送を介して無線電話と通信するよう設定されるBluetoothトランシーバのセットと、周囲環境からの音声信号入力を受信するマイクロホンの配列とを含む。このBluetoothトランシーバのセットは、第１Bluetoothトランシーバ、第２Bluetoothトランシーバおよび第３Bluetoothトランシーバを含む。マイクロホンの配列は、第１マイクロホンおよび第２マイクロホンを含み、ここでは、第１マイクロホンが、第１Bluetoothトランシーバに連結され、かつ第２マイクロホンが、第２Bluetoothトランシーバに連結される。また、無線電話システムは、第３Bluetoothトランシーバに連結されるスピーカを含む。
【００１２】
上述したところは、各開示された本発明の実施形態または各態様を説明しようとするものではない。他の態様および実施形態は、図面および発明の詳細な説明において提供される。
【００１３】
本発明は、図面に関連した本発明の様々な実施形態の以下の詳細な説明を考慮してより完全に理解されるであろう。
【図面の簡単な説明】
【００１４】
【図１】本発明の実施形態に従う無線電話システムを示すブロック図である。
【図２】本発明の実施形態に従う無線電話システムにおける音声信号の処理方法を示すフロー図である。
【図３】本発明の実施形態に従う無線電話システムを示すブロック図であり、ここでは、マイクロホン同士が空間的に分離されている。
【図４】本発明の実施形態に従う無線電話システムにおける音声信号の処理方法を示すフロー図であり、ここでは、マイクロホン同士が空間的に分離されている。
【図５】Bluetooth伝送の多チャネルを示す従来技術の図である。
【図６】本発明の実施形態に従う無線電話システムを示すブロック図であり、ここでは、スピーカは分離したBluetoothトランシーバに連結されている。
【００１５】
本発明が様々な修正および変形に変更されることができる一方で、その詳細は図面において一例として示され、詳細に説明されるであろう。しかしながら、その意図は、本発明を記載された特定の実施形態に限定するものではないことは理解されるべきである。それどころか、本発明は、特許請求の範囲によって定義される本発明の思想および範囲内のすべての修正例、均等物および代案をカバーするものである。
【発明を実施するための形態】
【００１６】
本発明は、周囲環境における背景雑音を抑制するための無線電話の信号処理能力と共に、マイクロホン配列を用いる無線電話システムを開示する。無線電話の信号処理リソースおよびBluetooth伝送の多チャネル伝送能力は、背景雑音を抑制するのに用いられる。
【００１７】
Bluetoothトランシーバにおいて音声入力信号を処理する代わりに、これら信号は、Bluetooth通信チャネルを用いて無線電話に送信される。
【００１８】
図１は、本発明の実施形態に従う無線電話システム１００を示すブロック図である。無線電話システム１００は、無線電話１０５、Bluetoothトランシーバ１１０、第１マイクロホン１１５、第２マイクロホン１２０およびスピーカ１２５を含む。Bluetoothトランシーバ１１０は、第１マイクロホン１１５、第２マイクロホン１２０およびスピーカ１２５に連結される。第１および第２マイクロホン１１５，１２０の両方は、周囲環境から音声信号入力を受信し、第１音声信号出力および第２音声信号出力を作り出す。第１および第２マイクロホン１１５，１２０からのこれら第１および第２音声信号出力は、Bluetooth伝送を用いて無線電話１０５に送信される。Bluetoothは、音声接続(voice connection)における音声信号を伝送するために３つのチャネルを用意する。これら３つのチャネルは、ＥＶ３チャネル０（第１チャネル）、ＥＶ３チャネル１（第２チャネル）および未使用チャネル（第３チャネル）とする。第１および第２音声信号出力は、それぞれＥＶ３チャネル０およびＥＶ３チャネル１を介して送信される。Bluetooth伝送におけるこれら音声接続は、デフォルト設定によってすでにサポートされており、実施のために、どんな追加の信号処理能力も必要とされない。無線電話１０５内のシグナルプロセッサは、第１および第２マイクロホン１１５，１２０からの第１および第２音声信号出力を受信し、これら音声信号出力を用いて背景雑音を計算する。シグナルプロセッサは、リモートエンドに結果の信号を伝送する前に、背景雑音を除去する。スピーカ音声信号は、ＥＶ３チャネル０を介して送信される。
【００１９】
第１および第２音声信号出力は、無線電話１０５に別々に送信される。したがって、（従来技術におけるように、）Bluetoothトランシーバ１１０において音声信号を処理する代わりに、これら音声信号は、別々に無線電話１０５に送信され、かつこの無線電話１０５は、背景雑音を抑制するようにこれら音声信号を処理する。このように、Bluetoothトランシーバ１１０は、追加の信号処理能力を要求する必要がない。本発明は、雑音抑制のために、無線電話１０５の信号処理能力を利用する。
【００２０】
図２は、本発明の実施形態に従う無線電話システムにおける音声信号の処理方法２００を示すフロー図である。ステップ２０５において、Bluetoothトランシーバが設けられ、これは、多チャネルBluetooth伝送を介して無線電話と通信するよう設定される。別のステップ２１０において、マイクロホンの配列が、Bluetoothトランシーバに連結される。このマイクロホンの配列は、第１マイクロホンおよび第２マイクロホンを含む。これら第１および第２マイクロホンは、周囲環境から音声信号を受信し、それぞれ第１音声信号出力および第２音声信号出力を作り出す。ステップ２１５において、これら音声出力信号は、無線電話に送信される。第１および第２音声信号出力は、それぞれＥＶ３チャネル０およびＥＶ３チャネル１を介して送信される。また、無線電話中にシグナルプロセッサが設けられ、このシグナルプロセッサは、第１および第２マイクロホンからの第１および第２音声信号出力を受信し、かつこれら音声信号から背景雑音を除去する。
【００２１】
図３は、本発明の実施形態に従う無線電話システム３００を示すブロック図であり、ここでは、マイクロホン１１５，１２０が空間的に分離されている。この配置は、空間的に分離された第１マイクロホン１１５および第２マイクロホン１２０を含む。第１マイクロホン１１５および第２マイクロホン１２０は、それぞれ第１Bluetoothトランシーバ３０５および第２Bluetoothトランシーバ３１０に連結される。スピーカ１２５は、第１Bluetoothトランシーバに連結される。これら２つのマイクロホン１１５，１２０および無線電話１０５はシングルBluetoothピコネットを作り出す。ピコネットは、アドホック形式においてBluetooth技術を介して接続されるデバイスの群として定義される。マイクロホン１１５，１２０からの第１および第２音声信号出力は、ＥＶ３チャネル０およびＥＶ３チャネル１を用いて無線電話１０５に送信される。無線電話１０５内のシグナルプロセッサは、図１で説明されたものと同じ方法で背景雑音を除去する。
【００２２】
この構造は、２つのマイクロホン１１５，１２０間の接続を要求せず、（例えば自動車などの）車両において、マイクロホン配列のより容易な導入を可能にする。第１Bluetoothトランシーバ３０５は、第１ロケーションで第１マイクロホンデータのみを提供し、第２Bluetoothトランシーバ３１０は、第２ロケーションで第２マイクロホンデータおよび他の能力を提供する。これら２つのBluetoothトランシーバ３０５，３１０は、互いに同期化される。第１Bluetoothトランシーバ３０５は、Bluetoothヘッドセットとみなされ、第２Bluetoothトランシーバ３１０はBluetoothマイクロホンとみなされることができる。
【００２３】
図４は、本発明の実施形態に従う無線電話システムにおける音声信号の処理方法４００を示すフロー図であり、ここでは、マイクロホンは空間的に分離されている。ステップ４０５および４１０のそれぞれにおいて、第１Bluetoothトランシーバおよび第２Bluetoothトランシーバが設けられ、これは、多チャネルBluetooth伝送を介して無線電話と通信するよう設定される。ステップ４１５において、第１マイクロホンが設けられ、これは第１Bluetoothトランシーバに連結される。別のステップ４２０において、第２マイクロホンが設けられ、これは第２Bluetoothトランシーバに連結される。これら第１および第２マイクロホンは、第１および第２音声信号出力を作り出す。ステップ４２５において、第１および第２音声信号出力は、それぞれＥＶ３チャネル０およびＥＶ３チャネル１を介して送信される。無線電話内のシグナルプロセッサは、第１および第２音声信号出力を受信する。背景雑音が計算および除去され、結果の信号はリモートエンドに送信される。
【００２４】
図５は、送信データ５００のためのBluetooth伝送の多チャネルを示す。図面に示されるように、Bluetoothは音声接続(voice connection)において音声信号を伝送するために３つのチャネル（ＥＶ３チャネル０、ＥＶ３チャネル１および未使用チャネル）を用意する。このチャネルのパターンは周期的に繰り返す。各チャネルの時間間隔は1.25msである。これらBluetoothチャネルは音声信号出力を第１および第２マイクロホンから無線電話に伝送するのに用いられる。
【００２５】
図６は、本発明の実施形態に従う無線電話システム６００を示すブロック図であり、ここでは、スピーカ１２５は分離したBluetoothトランシーバ６０５に連結される。この配置において、２つのマイクロホン１１５，１２０およびスピーカ１２５は別々のトランシーバを有する。第１マイクロホン１１５は第１Bluetoothトランシーバ３０５に連結され、第２マイクロホン１２０は第２Bluetoothトランシーバ３１０に連結され、そしてスピーカ１２５は第３Bluetoothトランシーバ６０５に連結される。これら３つのBluetoothトランシーバ３０５，３１０，６０５は、シングルBluetoothピコネットを作り出す。無線電話１０５は、図３で説明されたものと同じ方法で背景雑音を除去する。
【産業上の利用可能性】
【００２６】
本発明は、内部に限定された数の処理リソースのみが配置されたBluetoothヘッドセットを含むが、これに限定されるものではない。また、本発明は、マイクロホンおよびスピーカが空間的に分離され、互いに線で接続されないハンズフリー機器用に適用可能である。
【００２７】
本発明がさまざまな特定の実施形態を参照して説明されてきたと同時に、当業者は、特許請求の範囲において定義される本発明の思想および範囲から逸脱することなく、多くの変形を行うことができるということは理解されるであろう。
【図１】
2010517328.tif 000003
【図２】
2010517328.tif 000004
【図３】
2010517328.tif 000005
【図４】
2010517328.tif 000006
【図５】
2010517328.tif 000007
【図６】
2010517328.tif 000008
【国際調査報告】
2010517328.tif 000009
2010517328.tif 000010
2010517328.tif 000011
2010517328.tif 000012